(57)【要約】【課題】利用者の排泄物に含まれる抗がん剤の拡散を抑制できるトイレシステムを提供する事を目的とする。【解決手段】制御部と、前記制御部と接続される個人識別装置と、便器に備え付けられ、前記制御部と接続される温水洗浄便座とを有するトイレシステムであって、前記個人識別装置は、前記温水洗浄便座の利用者より取得した個人識別子を前記制御部に送信し、前記制御部は、受信した前記個人識別子をもとに、前記制御部と接続された他の機器に保存されている個人情報を参照して前記利用者の個人情報を特定し、前記制御部は、特定した前記個人情報から前記利用者が抗がん剤暴露対策の洗浄動作が必要な場合、前記温水洗浄便座に対して抗がん剤暴露対策の洗浄要求を行なうトイレシステムが提供される。【選択図】  図２
2019157546.tif 000002
【特許請求の範囲】
【請求項１】
制御部と、
前記制御部と接続される個人識別装置と、
便器に備え付けられ、前記制御部と接続される温水洗浄便座と
を有するトイレシステムであって、
前記個人識別装置は、前記温水洗浄便座の利用者より取得した個人識別子を前記制御部に送信し、
前記制御部は、受信した前記個人識別子をもとに、前記制御部と接続された他の機器に保存されている個人情報を参照して前記利用者の個人情報を特定し、
前記制御部は、特定した前記個人情報から前記利用者が抗がん剤暴露対策の洗浄動作が必要な場合、前記温水洗浄便座に対して抗がん剤暴露対策の洗浄要求を行なうトイレシステム。
【請求項２】
前記抗がん剤暴露対策の洗浄動作は、
前記温水洗浄便座の便ふたを閉じた状態で、前記便器の洗浄動作を行う事を特徴とする請求項１に記載のトイレシステム。
【請求項３】
前記温水洗浄便座に便器洗浄第１信号を送信可能なリモコンとを備え、
前記リモコンからの前記便器洗浄第１信号を前記温水洗浄便座が受信した場合、
前記温水洗浄便座は、前記温水洗浄便座と接続される前記制御部に、便器洗浄第２信号を送信し、
前記制御部は、前記便器洗浄第２信号を受信した場合、前記抗がん剤暴露対策の洗浄動作が必要な利用者の時に、前記制御部と接続される前記温水洗浄便座から、前記温水洗浄便座の状態を取得し、前記取得した状態に応じて前記温水洗浄便座に、前記抗がん剤暴露対策の洗浄要求を行う事を特徴とする請求項１又は請求項２に記載のトイレシステム。
【請求項４】
前記制御部に接続される報知装置を備え、
前記制御部は、特定した前記個人情報から前記利用者が抗がん剤暴露対策の洗浄動作が必要な場合、前記報知装置に対して抗がん剤暴露対策の洗浄動作に必要な通知を行わせる事を特徴とする請求項１〜３のいずれか１つに記載のトイレシステム。
【発明の詳細な説明】
【技術分野】
【０００１】
本発明は、トイレシステムに関する。
【背景技術】
【０００２】
トイレ装置を利用する利用者の排泄物には、トイレルーム内を汚染する汚染物質（以下、「抗がん剤」と称す）が含まれていることがある。抗がん剤投与者がトイレ装置を利用した後は、便器洗浄による抗がん剤の拡散対策（以下、「抗がん剤暴露対策」と称す）として、便ふたを閉じて２回便器洗浄を行う事は、看護の現場では一般的になっている。
【０００３】
一方、従来のトイレ装置は、便ふたを閉じなくても便器洗浄を行う事ができる。その結果、便器洗浄中に便ふたが開いたままとなっていると、抗がん剤が拡散してしまう懸念がある。
【０００４】
例えば特許文献１に記載のトイレアセンブリにおいては、便器洗浄中の流水動作中に便ふたが閉じた位置に固定される。これにより、便器洗浄中の流水動作で発生する抗がん剤の飛散を防ぐ事ができる。
【先行技術文献】
【特許文献】
【０００５】
【特許文献１】特表２０１３−５０１１７３号
【発明の概要】
【発明が解決しようとする課題】
【０００６】
特許文献１に記載のトイレアセンブリにおいては、便器洗浄中の流水動作中に便ふたが閉じた位置に固定される。そのため、トイレ利用者が抗がん剤投与をしていない場合でも排泄後に便器洗浄するために、便器から離れて便ふたを閉じる必要がある。例えば、トイレ利用者が抗がん剤治療をしておらず自力で立ち上がることが出来ない場合は、排泄直後に便器洗浄するため介護者を呼ぶ必要がある。この場合、トイレ利用者は自分の排泄物を第三者に見られる事になり精神的苦痛を感じる場合がある。また、特許文献１に記載のトイレアセンブリにおいては、便器洗浄水量の調節は行っていないため、抗がん剤が流されずに残留してしまう恐れがある。このため、トイレ装置において、抗がん剤の拡散を抑制するにあたり、改善の余地があった。
【０００７】
本発明は、かかる課題の認識に基づいてなされたものであり、利用者の排泄物に含まれる抗がん剤の拡散を抑制できるトイレシステムを提供する事を目的とする。
【課題を解決するための手段】
【０００８】
本発明の第１態様に係るトイレシステムは、制御部と、前記制御部と接続される個人識別装置と、便器に備え付けられ、前記制御部と接続される温水洗浄便座とを有するトイレシステムであって、前記個人識別装置は、前記温水洗浄便座の利用者より取得した個人識別子を前記制御部に送信し、前記制御部は、受信した前記個人識別子をもとに、前記制御部と接続された他の機器に保存されている個人情報を参照して前記利用者の個人情報を特定し、前記制御部は、特定した前記個人情報から前記利用者が抗がん剤暴露対策の洗浄動作が必要な場合、前記温水洗浄便座に対して抗がん剤暴露対策の洗浄要求を行なう。
【０００９】
本構成により、抗がん剤暴露対策の洗浄が必要な利用者だけ、抗がん剤暴露対策の洗浄を実施することができ、利用者の排泄物に含まれる抗がん剤の拡散を抑制できる。
【００１０】
本発明の第２態様に係るトイレシステムは、第１の態様において、前記抗がん剤暴露対策の洗浄動作は、前記温水洗浄便座の便ふたを閉じた状態で、前記便器の洗浄動作を行う事を特徴とする。
【００１１】
このトイレシステムによれば、抗がん剤暴露対策の洗浄動作が必要な利用者の時だけ、便ふたを閉じて洗浄動作を行う事が可能になる。
【００１２】
本発明の第３態様に係るトイレシステムは、第１または第２の態様において、前記温水洗浄便座に便器洗浄第１信号を送信可能なリモコンとを備え、前記リモコンからの前記便器洗浄第１信号を前記温水洗浄便座が受信した場合、前記温水洗浄便座は、前記温水洗浄便座と接続される前記制御部に、便器洗浄第２信号を送信し、前記制御部は、前記便器洗浄第２信号を受信した場合、前記抗がん剤暴露対策の洗浄動作が必要な利用者の時に、前記制御部と接続される前記温水洗浄便座から、前記温水洗浄便座の状態を取得し、前記取得した状態に応じて前記温水洗浄便座に、前記抗がん剤暴露対策の洗浄要求を行う事を特徴とする。
【００１３】
このトイレシステムによれば、抗がん剤暴露対策の洗浄動作を制御部が行う事で、温水洗浄便座側に抗がん剤暴露対策の洗浄動作の実装を不要にする。
【００１４】
本発明の第４態様に係るトイレシステムは、第１〜第３のいずれか１つの態様において、前記制御部に接続される報知装置を備え、前記制御部は、特定した前記個人情報から前記利用者が抗がん剤暴露対策の洗浄動作が必要な場合、前記報知装置に対して抗がん剤暴露対策の洗浄動作に必要な通知を行わせる事を特徴とする。
【００１５】
このトイレシステムによれば、抗がん剤暴露対策の洗浄動作を行うために必要な情報を報知装置が利用者に通知する事で、より確実に抗がん剤暴露対策の洗浄動作を行う事ができるようになる。
【発明の効果】
【００１６】
本発明の態様によれば利用者の排泄物に含まれる抗がん剤の拡散を抑制できるトイレシステムが提供される。
【図面の簡単な説明】
【００１７】
【図１】実施形態に係るトイレシステムが設置されたトイレルームを例示する斜視図である。
【図２】実施形態に係るトイレシステムの構成を表すブロック図である。
【図３】実施形態に係るトイレシステムの動作を例示するフローチャートである。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
図１は、実施形態に係るトイレシステムが設置されたトイレルームを例示する斜視図である。
図１に示すように、実施形態に係るトイレシステム１００は、制御部２００と、個人識別装置３００と、便器４００の上に設置される温水洗浄便座５００と、温水洗浄便座に信号を送信するリモコン６００と、報知装置７００を有する。
【００２０】
制御部２００は、IC素子を含んだ制御回路である。
なお、実施形態においては、制御部２００は、別々の基板上に設けられた２以上の回路でもよい。また、各回路が有線または無線により適宣接続されていてもよい。以下では、複数の回路が用いられた場合であっても、説明の便器上、それらを制御部２００と呼ぶ。
【００２１】
個人識別装置３００は、例えばバーコードリーダーである。病院などの医療現場では、医療行為を確実に行う目的で、患者の腕にバーコードを取り付け個人を識別するシステムが導入されているケースがある。この場合、個人識別の仕組みを新しく構築する必要がなくなりるため、容易に導入することが可能となる。
【００２２】
温水洗浄便座５００は、便座５１０と、便ふた５２０と、着座センサ５３０、人体検知センサ５４０を有する。便ふた５２０は、閉じた状態において、便座５１０を覆う。
【００２３】
着座センサ５３０は、便座５１０に着座した利用者を検知する事ができる。このような着座センサ５３０としては、例えば、赤外線投受光式の測距センサなどを用いることができる。また、着座センサ５３０を用いて、利用者が便座５１０から立ち上がったこと（離座）を検知することができる。
【００２４】
人体検知センサ５４０は、便器４００の前方にいる利用者、すなわち温水洗浄便座５００か前方へ離間した位置に存在する利用者を検知することができる。つまり、人体検知センサ５４０は、トイレルームに入室して温水洗浄便座５００に近づいてきた利用者を検知することができる。このような人体検知センサ５４０としては、例えば、赤外線投受光式の測距センサなどを用いることができる。
【００２５】
リモコン６００は、温水洗浄便座５００を操作するためのスイッチと、便器４００の洗浄を指示する便器洗浄スイッチ６１０が設けられている。
【００２６】
報知装置７００は、表示部７１０と、発音装置（スピーカ）７２０を有する。
なお、実施形態においては、報知装置７００は、表示部７１０、スピーカ７２０のいずれか一方、もしくは両方有してもよい。また、トイレに備え付けられたものではなく、トイレ使用者が携帯するスマートフォンや携帯電話等の端末であっても、説明の便宜上、それらを報知装置７００と呼ぶ。
【００２７】
図２は、実施形態に係るトイレシステムの構成を表すブロック図である。図２に示すように、制御部２００は、個人識別装置３００と接続される。制御部２００は、温水洗浄便座５００と接続される。制御部２００は、報知装置７００と接続される。制御部２００は、他の機器に保存されている個人情報８００と接続される。接続方法は有線または無線により接続されてもよい。
【００２８】
他の機器に保存されている個人情報８００は、ネットワーク８１０内に接続されているデータベースサーバ８２０上に保存されている。また、他の機器に保存されている個人情報８００は、個人情報を記憶する装置の種類や制御部２００との接続方法の種類が、本実施形態と異なっていてもよい。
【００２９】
個人識別子は、個人情報８００に保存されている複数の個人情報から、利用者の個人情報を特定するための情報である。例えば、病院であれば患者毎に採番した重複しない数字や文字を組み合わせたID番号を用いてもよい。
【００３０】
個人識別装置３００は、温水洗浄便座５００の利用者より取得した個人識別子を制御部２００に送信する。制御部２００は、個人識別子を受信すると、データベースサーバ８２０内に保存されている個人情報にアクセスする。制御部２００は、個人識別子を用いて、利用者の個人情報を特定し、特定した個人情報から利用者の抗がん剤投与有無を確認する。制御部２００は、利用者が抗がん剤を投与している場合に抗がん剤暴露対策の洗浄を行うため、温水洗浄便座５００と通信を行う。
【００３１】
抗がん剤暴露対策の洗浄動作は、温水洗浄便座５００の便ふた５２０を閉じた状態で、便器４００の洗浄を行う。便ふた５２０を閉じるのは、温水洗浄便座５００に備え付けられている自動開閉機能を用いてもよいし、手で便ふた５２０を閉じてもよい。また便器４００の洗浄を行う場合は、通常の洗浄水量より多い水を使用する。洗浄水量の変更ができない便器の場合は、洗浄を複数回行う事で洗浄水量を増やしてもよい。
【００３２】
リモコン６００は、便器洗浄スイッチ６１０を利用者が押下すると、温水洗浄便座５００に便器洗浄第１信号を送信する。温水洗浄便座５００は、便器洗浄第１信号を受信すると、制御部２００に便器洗浄第２信号を送信する。制御部２００は、便器洗浄第２信号を受信すると、温水洗浄便座５００と通信を行い、温水洗浄便座５００の状態を取得する。制御部２００は、温水洗浄便座５００の状態に応じて抗がん剤暴露対策の洗浄要求を行う。例えば、温水洗浄便座５００の便ふた５２０が開いている状態であれば、制御部２００は、便器洗浄第２信号を受信しても温水洗浄便座５００に対して、洗浄要求をおこなわないことで、抗がん剤の拡散を抑制することができる。また、温水洗浄便座５００の便ふたが電動開閉式の場合に制御部２００は、便器洗浄第２信号を受信した場合に便ふた５２０を閉じるように温水洗浄便座５００に要求を行う。制御部２００は、便ふた５２０が閉じた後、温水洗浄便座５００に対して便器４００の洗浄を行うように信号を出力する。その結果、温水洗浄便座５００は、便ふた５２０が閉じた状態で便器４００の洗浄を行う事ができ、抗がん剤の拡散を抑制する事ができる。
【００３３】
制御部２００は、抗がん剤暴露対策の洗浄動作を行うため、装置装置７００と通信を行い表示部７１０やスピーカ７２０より、利用者に必要な情報を提供する。例えば、便器洗浄中にスピーカ７２０より洗浄中なので便ふたを開かないように報知することで、便器洗浄中に利用者が便ふたを開かないようにすることができる。
【００３４】
図３は、実施形態に係るトイレシステムの動作を例示するフローチャートである。図３に示したように、利用者がトイレルームに入室すると、人体検知センサ５４０は、利用者を検知し、制御部２００に人体検知信号を送信する（ステップＳ１０１：検知）。制御部２００は、この信号に基づいて、報知装置７００の表示部７１０とスピーカ７２０を用いて、表示と音声によって利用者にバーコード読取操作を行うように促す（ステップＳ１０２）。
【００３５】
利用者が個人識別装置３００に対して、個人を識別するバーコード読取を実施すると、個人識別装置３００は、制御部２００に読み込んだ個人識別情報を送信する（ステップＳ１０３：実施）。制御部２００は、ネットワーク８１０に接続されているデータベースサーバ８２０内に格納されている個人情報を参照する。制御部２００は、参照したデータの中から、個人識別子を使用して、利用者の情報を特定する（ステップＳ１０４）。利用者が抗がん剤を投与していれば、抗がん剤暴露対策の洗浄動作が要となる（ステップＳ１０５:要、ステップＳ１０６）。利用者が抗がん剤を投与していない場合は、抗がん剤暴露対策の洗浄動作が不要となる（ステップＳ１０５:不要、ステップＳ１１８）。また、利用者が個人識別装置３００対して、個人を識別するバーコード読取を行っていない場合は、抗がん剤暴露対策の洗浄動作が要となる（ステップＳ１０３:未実施、ステップＳ１０６）。
【００３６】
利用者が便器洗浄スイッチ６１０を押下したら、リモコン６００は便器洗浄第１信号を温水洗浄便座５００へ送信する。温水洗浄便座５００は、便器洗浄第１信号を受信すると制御部２００に便器洗浄第２信号を送信する（ステップＳ１０７）。
【００３７】
制御部２００は、温水洗浄便座５００と通信を行い、利用者が便座５１０に着座しているか状態を確認する（ステップＳ１０８）。
制御部２００は、利用者が着座中の時に報知装置７００と通信を行う。報知装置７００は、離座して便ふたを閉じて便器洗浄操作を行うように利用者に報知する（ステップＳ１０８：着座、ステップＳ１０９）。
【００３８】
制御部２００は、利用者が離座している時に温水洗浄便座５００と通信を行い、便ふた５２０の開閉状態を受信する（ステップＳ１０８:離座、Ｓ１１０）。
制御部２００は、便ふた５２０が開状態の場合に報知装置７００と通信を行なう。報知装置７００は、便ふたを閉じて便器洗浄操作を行なうように利用者に報知する（ステップＳ１１０：開、ステップＳ１１１）。
【００３９】
制御部２００は、便ふた５２０が閉状態の場合に報知装置７００と通信を行なう。報知装置７００は、便器洗浄中の間は便ふたを開かないように利用者に報知を開始する（ステップＳ１１０：閉、ステップＳ１１２）。
【００４０】
制御部２００は、温水洗浄便座５００に対して１回目の便器洗浄要求をする。温水洗浄便座５００は、便器洗浄要求を受信すると便器４００の洗浄動作を開始する(ステップ
Ｓ１１３）。制御部２００は、温水洗浄便座５００と通信を行ない、便器４００の洗浄状態を取得し、１回目の洗浄動作が終わるまで待機状態となる(ステップＳ１１４)。制御部２００は、１回目の洗浄動作が終わると温水洗浄便座５００に対して２回目の便器洗浄要求をする（ステップＳ１１５）。
【００４１】
制御部２００は、温水洗浄便座５００と通信を行ない、便器４００の洗浄状態を取得し、２回目の洗浄動作が終わるまで待機状態となる(ステップＳ１１６)。制御部２００は、２回目の洗浄動作が終わると報知装置７００と通信を行なう。報知装置７００は、便器洗浄中の報知を終了する。
【００４２】
以上、本発明の実施形態について説明した。しかし、本発明はこれらの記述に限定されるものではない。前述の実施の形態に関して、当事者が適宜設計変更を加えたものも、本発明の特徴を備えている限り、本発明の範囲に包含される。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１００ トイレシステム、  ２００ 制御部、  ３００ 個人識別装置、  ４００ 便器、  ５００ 温水洗浄便座、  ５１０ 便座、  ５２０ 便ふた、  ５３０ 着座センサ、  ５４０ 人体検知センサ、  ６００ リモコン、  ６１０ 便器洗浄スイッチ、  ７００ 報知装置、  ７１０ 表示部、  ７２０ スピーカ、  ８００ 他の機器に保存されいる個人情報、  ８１０ ネットワーク、  ８２０ データベースサーバ
【図１】
2019157546.tif 000003
【図２】
2019157546.tif 000004
【図３】
2019157546.tif 000005